(57)【要約】【課題】本発明は、両基板の間の各放電セルに対応するように配置されて表示放電を起こす一対の放電維持電極が一方の基板に形成される電極構造を有する面放電型プラズマディスプレイパネルに関するものである。【解決手段】本発明によるプラズマディスプレイパネルは、所定の間隔をおいて互いに対向配置される第１基板及び第２基板と、前記第２基板に形成されるアドレス電極と、前記第１基板と第２基板の間の空間に配置されて複数の放電セルを区画する隔壁と、前記各々の放電セル内に形成される蛍光体層と、前記第１基板で前記アドレス電極と交差する方向に沿って一対ずつ対を組んで互いに対向配置され、前記各放電セル内部に各々延びて一対が互いに対向するように形成される突出部を有する放電維持電極とを含む。前記一対の放電維持電極のうちの少なくとも一側に配列される突出部の各々は、対向する端部に凹部が形成される。【選択図】図１
2004214170.tif 000002
【特許請求の範囲】
【請求項１】
所定の間隔をおいて互いに対向配置される第１基板及び第２基板と、
前記第２基板に形成されるアドレス電極と、
前記第１基板と第２基板の間の空間に配置されて複数の放電セルを区画する隔壁と、
前記各々の放電セル内に形成される蛍光体層と、
前記第１基板で前記アドレス電極と交差する方向に沿って一対ずつ対を組んで互いに対向配置され、前記各放電セル内部に各々延びて一対が互いに対向するように形成される突出部を有する放電維持電極とを含み、
前記一対の放電維持電極のうちの少なくとも一側に配列される突出部の各々は、対向する端部に凹部が形成されるプラズマディスプレイパネル。
【請求項２】
前記凹部は、前記放電維持電極の突出部の対向する端部中央に形成される、請求項１に記載のプラズマディスプレイパネル。
【請求項３】
前記放電維持電極の突出部の凹部両側に凸部がさらに形成される、請求項１に記載のプラズマディスプレイパネル。
【請求項４】
前記放電維持電極の突出部の凹部は、外縁がその周辺部と曲線で互いに滑らかに連結されるように形成される、請求項１に記載のプラズマディスプレイパネル。
【請求項５】
前記放電維持電極の突出部の各々は、前記隔壁に隣接した少なくとも一側の外縁が内側に凹むように形成される、請求項１に記載のプラズマディスプレイパネル。
【請求項６】
前記放電維持電極の突出部の各々は、前記アドレス電極方向に位置する前記放電セルの両端端部に対応する後端部が前記放電セルの中心から遠くなるほど幅が狭くなる、請求項１に記載のプラズマディスプレイパネル。
【請求項７】
所定の間隔をおいて互いに対向配置される第１基板及び第２基板と、
前記第２基板に形成されるアドレス電極と、
前記第１基板及び第２基板の間の空間に配置されて複数の放電セルを区画する隔壁と、
前記各々の放電セル内に形成される蛍光体層と、
前記第１基板で前記アドレス電極と交差する方向に沿って延びながら前記各放電セルに一対ずつ対を組んで対応するように形成されるバス電極、及び前記バス電極から各放電セル内部に各々延びて一対が互いに対向するように形成される突出電極を含む放電維持電極とを含み、
互いに対向する前記一対の突出電極のうちの少なくとも一側に配列される突出電極の各々は、対向する端部に凹部が形成されるプラズマディスプレイパネル。
【請求項８】
前記凹部は、前記突出電極の対向する端部中央に形成される、請求項７に記載のプラズマディスプレイパネル。
【請求項９】
前記突出電極の凹部両側に凸部がさらに形成される、請求項７に記載のプラズマディスプレイパネル。
【請求項１０】
前記突出電極の凹部は、縁がその周辺部と曲線で互いに滑らかに連結されるように形成される、請求項７に記載のプラズマディスプレイパネル。
【請求項１１】
前記突出電極の各々は、前記バス電極に隣接した後端部が前記放電セルの中心から遠くなるほど前記バス電極方向の幅が狭くなる、請求項７に記載のプラズマディスプレイパネル。
【請求項１２】
前記突出電極は透明電極からなる、請求項７に記載のプラズマディスプレイパネル。
【発明の詳細な説明】
【技術分野】
【０００１】
本発明はプラズマディスプレイパネルに係り、より詳しくは、両基板の間の各放電セルに対応するように配置されて表示放電を起こす一対の放電維持電極が、一方の基板に形成される電極構造を有する面放電型プラズマディスプレイパネルに関するものである。
【背景技術】
【０００２】
一般にプラズマディスプレイパネル（‘ＰＤＰ’）は、気体放電によって生成された紫外線で蛍光体を励起させて所定の映像を実現する表示装置であって、高解像度の大画面構成が可能であり次世代薄形表示装置として脚光を浴びている。
【０００３】
図５を参照すれば、従来の一般的なＰＤＰ構造は、前部の第１基板６０と後部の第２基板５０とが対向しており、第２基板５０上に一方向（図面のｘ方向）に沿ってアドレス電極５１が長く形成され、このアドレス電極５１を覆いながら第２基板５０の前面に誘電層５３が形成される。この誘電層５３上に、各アドレス電極５１の間に配置されるようにラインパターンの隔壁５５が形成され、各々の隔壁５５の間に赤（Ｒ）、緑（Ｇ）、青（Ｂ）色の蛍光体層５７が形成される。なお、第１基板または第２基板の上方とは相手基板に向かう方向、下方とは相手基板と反対の方向を意味する。
【０００４】
そして、第１基板６０の上面には、放電維持電極６４がアドレス電極５１に交差する方向（図面のｙ方向）に沿って一対の透明電極６２とバス電極６３とで構成され、この放電維持電極６４を覆うように誘電層６６とＭｇＯ保護膜６８が第１基板６０上方に形成される。
【０００５】
前記第２基板５０上のアドレス電極５１と第１基板６０上の放電維持電極６４との交差地点が、放電セルを構成する部分となる。
【０００６】
アドレス電極５１と放電維持電極６４の間にアドレス電圧（Ｖａ）を印加してアドレス放電を行った後、再び一対の放電維持電極６４の間に維持電圧（Ｖｓ）を印加して、アドレス放電の行われたセル内で維持放電させる。この時に発生する真空紫外線が当該蛍光体を励起させ、透明な第１基板６０を通して可視光を放出しながらＰＤＰの画面を実現する。
【０００７】
このようなＰＤＰにおいて従来は、図５及び図６に示されたような構造を有する放電維持電極が適用されていた。
【０００８】
つまり、図６を参照すれば、第１基板上に形成される放電維持電極６４は、隔壁５５と直交する方向（図面のｙ方向）に沿って所定の幅を有して連続的に形成される透明電極６２と、その縁に通電性を良くするために形成されるバス電極６３とで構成される。
【０００９】
また、図７を参照すれば、第１基板上に形成される放電維持電極７４は、隔壁５５と直交する方向（図面のｙ方向）に沿って一の字形に形成されるバス電極７３と、各放電セルごとに別個に対応するように前記バス電極７３から放電セル内部へ向かって突出するＴ形の透明電極７２とで構成される。
【００１０】
しかし、前記のように透明電極が所定の幅を有して連続的に形成される場合、前記放電維持電極に電圧を印加して放電を起こす時、前記透明電極全面にかけて均一な場が形成されるのではないため、透明電極部分の中では放電への寄与度の少ない不必要な部分が多くなる。このような部分は放電セル内での放電効率を落とすだけではなく放電セルの相当部分を覆うため、輝度を減少させるようになる。
【００１１】
そして、透明電極をＴ形に形成する場合は、各々の放電セルに対応するＴ形透明電極の角部分で放電集中現象が起きるため、放電セル内での放電の広がりが円滑に行われなくなるという問題点がある。
【発明の開示】
【発明が解決しようとする課題】
【００１２】
本発明の目的は、放電セル内での放電時に、その放電の分布を分析して放電維持電極の形状を最適化することにより、放電開始電圧を低くして放電効率を向上させることができるプラズマディスプレイパネルを提供することにある。
【課題を解決するための手段】
【００１３】
本発明によるプラズマディスプレイパネルは、所定の間隔をおいて互いに対向配置される第１基板及び第２基板と、前記第２基板に形成されるアドレス電極と、前記第１基板と第２基板の間の空間に配置されて複数の放電セルを区画する隔壁と、前記各々の放電セル内に形成される蛍光体層と、前記第１基板において前記アドレス電極と交差する方向に沿って一対ずつ対を組んで互いに対向配置され、前記各放電セル内部に各々延びて一対が互いに対向するように形成される突出部を有する放電維持電極とを含む。前記一対の放電維持電極のうちの少なくとも一側に配列される突出部の各々は、対向する端部に凹部が形成される。
【００１４】
前記凹部は、前記放電維持電極の対向する突出部の端部中央に形成されるのが好ましく、このような突出部に形成された凹部は、外縁がその周辺部と曲線で互いに滑らかに連結されるように形成されるのが好ましい。
【００１５】
前記放電維持電極の突出部の凹部両側に凸部がさらに形成されることができる。
【００１６】
前記放電維持電極の突出部の各々は、前記隔壁に隣接した少なくとも一側の外縁が内側に凹むように形成されることができ、前記アドレス電極方向に位置する前記放電セルの両端端部に対応する後端部が、前記放電セルの中心から遠くなるほど幅が狭くなるように形成されることができる。
【００１７】
前記放電維持電極は、前記第１基板にアドレス電極と交差する方向に沿って延びながら前記各放電セルに一対ずつ対を組んで対応するように形成されるバス電極と、前記バス電極から各放電セル内部に各々延びて一対が互いに対向するように形成される突出電極とを含んで構成されることができる。この時、互いに対向する前記一対の突出電極のうちの少なくとも一側に配列される突出電極の各々は、対向する端部に凹部が形成される。
【００１８】
このような突出電極は透明電極で構成でき、突出電極の各々は、前記バス電極に隣接した後端部が前記放電セルの中心から遠くなるほど前記バス電極方向の幅が狭くなるように形成される。
【発明の効果】
【００１９】
本発明によるプラズマディスプレイパネルによれば、放電維持電極の形状を最適化することによって不必要な電極面を縮少して放電電流を制限し、放電効率を改善できる効果がある。
【００２０】
また、維持電極面（透過率９５％）の縮少によって開口率が向上し、輝度の上昇を期待できる。つまり、従来に比べて減少した電極面を適用しても従来の輝度水準と少なくとも同等であるか又はそれ以上の輝度を達成できるので、開口率向上及び電極材料の節約という効果がある。
【発明を実施するための最良の形態】
【００２１】
以下、添付した図面を参照して本発明の好ましい実施例について詳細に説明する。
【００２２】
図１は、本発明の第１実施例によるプラズマディスプレイパネルを示した部分平面図であり、図２は、本発明の第１実施例によるプラズマディスプレイパネルの透明電極部分を拡大して示した平面図である。
【００２３】
図１を参照すれば、本発明の第１実施例によるプラズマディスプレイパネル（以下、‘ＰＤＰ'とする）は、第２基板（図示せず）上にこの第２基板の一方向（図面のｙ方向）に沿って複数のアドレス電極２１が形成され、第１基板（図示せず）上に前記アドレス電極２１と直交する方向（図面のｘ方向）に沿って複数の放電維持電極１４が形成される。
【００２４】
前記第２基板と第１基板の間の空間には複数の隔壁１５が形成されるが、このような隔壁１５は互いに隣接するアドレス電極２１、２１の間に各々配置されながら、アドレス電極２１と並んだ方向に沿って形成されてプラズマ放電に必要な放電セル２３Ｒ、２３Ｇ、２３Ｂを区画する。本実施例では前記のようにストライプ形隔壁を例に挙げて説明しているが、本発明はこれに限定されるものではなく、アドレス電極２１と並んだ隔壁部材及びアドレス電極２１と交差する隔壁部材が一緒に形成されて放電セル２３Ｒ、２３Ｇ、２３Ｂを区画する閉鎖形隔壁構造でも本発明は適用できる。
【００２５】
一方、放電維持電極１４は突出電極１２とバス電極１３とで構成される。ここで突出電極１２は放電セル２３Ｒ、２３Ｇ、２３Ｂの内部でプラズマ放電を起こす役割をするものであって、輝度確保のために透明電極のＩＴＯ電極を用いるのが好ましく、バス電極１３はこのような透明電極の高い抵抗を補償して通電性を確保するためのものであって、金属電極を用いるのが好ましい。
【００２６】
前記放電維持電極１４は一対ずつ対を組んで互いに対向配置するように形成されるが、各放電セル２３Ｒ、２３Ｇ、２３Ｂに対応する一対のバス電極１３、１３が一の字形で互いに並ぶように形成され、突出電極１２が各々のバス電極１３、１３から各放電セル２３Ｒ、２３Ｇ、２３Ｂの内部へ各々突出して、一対が互いに対向するように形成される。なお、バス電極１３が短い導体として示されているが、一続きの長い導体を用いて、突出電極１２を重ねて配置しても、若干の輝度低下を許せば、問題はない。
【００２７】
この時、前記突出電極１２は図２に示すように、端部中央に凹部（Ａ）が形成され、この凹部（Ａ）の両側に凸部（Ｂ）が形成される。このようにして対向する一対の突出電極１２において、凹部（Ａ）が対向する部分では長いギャップが形成され、凸部（Ｂ）が対向する部分では短いギャップが形成され、主放電は最初に短いギャップから始まって長いギャップに広まって放電が放電セル２３Ｒ、２３Ｇ、２３Ｂ全体に広がる。
【００２８】
前記突出電極１２の凹部（Ａ）は、放電を中心に集めて安定した放電が行われるようにし、凸部（Ｂ）は開口率を大きく損傷させずに、互いに対向する突出電極１２の端部との距離を従来の突出電極３０より近くすることができるので、放電にかかる電圧を下げられる効果がある。
【００２９】
前記突出電極１２の凹部（Ａ）と凸部（Ｂ）は、その縁を曲線で互いに滑らかに連結させるのが好ましい。この時、その連結部（Ｃ）は凹部（Ａ）に向かって緩やかな傾斜を有しながら端部中央に向かって傾くようになるが、この連結部（Ｃ）は、放電の広がりを用いて主放電を長いギャップに誘導する役割をする。
【００３０】
つまり、放電と外部入力電圧との間には非線形的関係がある。例えば、放電開始電圧が２００Ｖとすれば１９９Ｖでは絶対に放電が起こらないが、２００Ｖになると放電が起こる。ところがこの放電の特徴は、一回放電が発生して放電の回数が繰り返されると幾何級数的に発生するために放電が周囲に広がるようになる。このような広がりを通じて長いギャップに主放電が誘導される。
【００３１】
前記のように突出電極１２を凹部（Ａ）と凸部（Ｂ）を備えて形成するのは、前記対をなす一対の放電維持電極１４のうちのどちらか一方の側に配列された突出電極１２だけでも可能だが、両側に配列されて対になる突出電極１２全てに形成することもできる。
【００３２】
また、本実施例において、前記放電維持電極１４の突出電極１２の各々は隔壁１５に隣接した縁が内側に凹むように形成される。つまり、前記突出電極１２の各々は、前記バス電極１３に隣接した後端部が前記放電セル２３Ｒ、２３Ｇ、２３Ｂの中心から遠くなるほど前記バス電極１３方向（図面のｙ方向）の幅が狭くなるように形成される。前記突出電極１２が前記バス電極１３と連結されるこの部分もまた、放電への寄与度の小さい部分に放電効率を向上させ開口率を確保するために、前記端部より幅を狭く形成することができる。
【００３３】
互いに異なる対をなす放電維持電極１４間には、コントラスト向上のためにブラックストライプ１７を形成することができる。
【００３４】
図３は、本発明の第２実施例によるＰＤＰを示した部分平面図である。
【００３５】
本実施例によるＰＤＰは、前述した第１実施例によるＰＤＰと基本的な構造が同じであるが、放電維持電極３４の一部になる突出電極３２の形状において前記第１実施例とは異なって、突出電極３２の端部の幅とこの突出電極３２がバス電極２３と連結される部分の幅とを同一に形成できる。
【００３６】
図４は、本発明の第３実施例によるＰＤＰを示した部分平面図である。
【００３７】
本実施例によるＰＤＰも前述した第１実施例によるＰＤＰと基本的な構造が同じである。ただし、放電維持電極４４の一部になる突出電極４２の互いに対向する端部中央に凹部のみが形成されており、バス電極４３に近づくほどバス電極４３方向（図面のｙ方向）の幅が狭くなるように形成される。本実施例のように凹部のみ形成されても、互いに対向する突出電極４２間に長いギャップ部分と短いギャップ部分が形成されることができる。
【００３８】
以上、本発明の好ましい実施例について説明したが、本発明はこれに限定されるわけではなく、特許請求の範囲と発明の詳細な説明及び添付した図面の範囲内で多様に変形して実施するのが可能であり、これも本発明の範囲に属するのは当然のことである。
【図面の簡単な説明】
【００３９】
【図１】本発明の第１実施例によるプラズマディスプレイパネルを示した部分平面図である。
【図２】本発明の第１実施例によるプラズマディスプレイパネルの透明電極部分を拡大して示した平面図である。
【図３】本発明の第２実施例によるプラズマディスプレイパネルを示した部分平面図である。
【図４】本発明の第３実施例によるプラズマディスプレイパネルを示した部分平面図である。
【図５】従来のプラズマディスプレイパネルを示した部分切断斜視図である。
【図６】従来の一の字形放電維持電極構造を有するプラズマディスプレイパネルを示した部分平面図である。
【図７】従来のＴ形放電維持電極構造を有するプラズマディスプレイパネルを示した部分平面図である。
【符号の説明】
【００４０】
１２、３０、３２、４２  突出電極
１３、２３、４３、６３、７３  バス電極
１４、３４、４４、６４、７４  放電維持電極
１５、５５  隔壁
１７  ブラックストライプ
２１、５１  アドレス電極
５０  第２基板
５３、６６  誘電層
５７  蛍光体層
６０  第１基板
６２、７２  透明電極
６８  保護膜
【図１】
2004214170.tif 000003
【図２】
2004214170.tif 000004
【図３】
2004214170.tif 000005
【図４】
2004214170.tif 000006
【図５】
2004214170.tif 000007
【図６】
2004214170.tif 000008
【図７】
2004214170.tif 000009